(57)【特許請求の範囲】
【請求項１】
既存枠の内周に設置される新設枠と、新設枠と既存枠の接続部の室外側に配置されるカバー体とを備え、
カバー体は、新設枠に固定されて少なくとも新設枠と既存枠の接続部の室外側に配置される主カバー部材と、主カバー部材に対して見込み方向に位置調節自在に係合される副カバー部材とからなり、
カバー体の外周側の見込み面で主カバー部材に副カバー部材が位置調節自在に係合されている
ことを特徴とする改修建具。
【請求項２】
既存枠の内周に設置される新設枠と、新設枠と既存枠の接続部の室外側に配置されるカバー体とを備え、
カバー体は、新設枠に固定されて少なくとも新設枠と既存枠の接続部の室外側に配置される主カバー部材と、主カバー部材に対して見込み方向に位置調節自在に係合される副カバー部材とからなり、
主カバー部材に対する副カバー部材の係合方向が位置調節方向に直交する
ことを特徴とする改修建具。
【発明の詳細な説明】
【技術分野】
【０００１】
建物開口部の既存枠に対して設置される新設枠と、新設枠と既存枠との接続部の室外側に配置されるカバー体とを備える改修建具に関する。
【背景技術】
【０００２】
従来、既存枠の内周に新設枠を設置して建具を改修する改修建具が知られており、改修に際しては、既存枠と新設枠との接続部が室外側に露出しないようにするために、既存枠から新設枠にかけてカバー体を配置して、接続部の室外側を覆うように構成されていた。
そして、既存枠には、種々の形状、寸法のものが存在するが、既存枠の見込み方向位置に応じてカバー体の室内端部を折り取ることで、既存枠と新設枠とに亘って隙間無くカバー体が配置できるようにしていた（特許文献１）。
【先行技術文献】
【特許文献】
【０００３】
【特許文献１】特開平１１−１２５０６６号公報
【発明の概要】
【発明が解決しようとする課題】
【０００４】
しかし、カバー体の一部を折り取る作業は難しく、たとえ折り取りのための溝等が形成されていたとしても、カバー体の一部を正確な箇所で、しかも全長にわたって折り取ることは非常に手間だった。
また、カバー体の一部を折り取る際に、折り取りとは関係のないカバー体の見付け面等を傷つけたり破損させる恐れもあり、慎重に折り取り作業を行う必要があることから、作業に大変手間が掛かって、施工性に劣っていた。
【０００５】
本発明は、上記の事情を鑑みたものであり、カバー体の折り取り作業を行うことなく、外壁から突出する既存枠の形状、寸法の違いに応じて調整可能なカバー体を備える改修建具を提供することを目的とする。
【課題を解決するための手段】
【０００６】
本発明は、既存枠の内周に設置される新設枠と、新設枠と既存枠の接続部の室外側に配置されるカバー体とを備え、カバー体は、新設枠に固定されて少なくとも新設枠と既存枠の接続部の室外側に配置される主カバー部材と、主カバー部材に対して見込み方向に位置調節自在に係合される副カバー部材とからなり、カバー体の外周側の見込み面に主カバー部材に対する副カバー部材の位置調整部を有することを特徴とする。
【発明の効果】
【０００７】
既存枠の内周に新設枠を設置した後、カバー体によって既存枠と新設枠の接続部を覆うに際して、形状、寸法の異なる既存枠に対しても、カバー体を、折り取ることなく設置することができ、改修建具の施工性を向上させることができる。
【図面の簡単な説明】
【０００８】
【図１】本発明の実施形態に係るリフォームドアの外観図である。
【図２】本発明の実施形態に係るリフォームドアの縦断面図である。
【図３】本発明の実施形態に係るリフォームドアの横断面図である。
【図４】本発明の実施形態に係るリフォームドアの上カバー体の分解斜視図である。
【図５】本発明の実施形態に係るリフォームドアの縦カバー体の分解斜視図である。
【図６】（ａ）は本発明の実施形態に係るリフォームドアの上カバー材の縦断面図であり、（ｂ）はその一部拡大図である。
【図７】本発明の実施形態に係るリフォームドアの上カバー体近傍の縦断面図であり、（ａ）は既存枠が比較的室内側に設けられていた場合の既存上枠、新設上枠、上カバー体の縦断面図であり、（ｂ）は既存枠が比較的室外側に設けられていた場合の既存上枠、新設上枠、上カバー体の縦断面図である。
【図８】本発明の実施形態に係るリフォームドアの縦カバー体近傍の横断面図であり、（ａ）は既存枠が比較的室内側に設けられていた場合の既存左縦枠、新設左縦枠、縦カバー体の縦断面図であり、（ｂ）は既存枠が比較的室外側に設けられていた場合の既存左縦枠、新設左縦枠、縦カバー体の縦断面図である。
【図９】本発明の実施形態に係るリフォームドアのカバー体の室内側端部に保持される他の例のバックアップ材を説明するための図であり、（ａ）はバックアップ材を取り付けた既存左縦枠、新設左縦枠、縦カバー体の縦断面図であり、（ｂ）は（ａ）のバックアップ材部分の拡大横断面図である。
【図１０】本発明の実施形態に係るリフォームドアのカバー体の室内側端部に保持されるバックアップ材を説明するための図であり、（ａ）乃至（ｃ）はバックアップ材を配置してコーキング処理を施した状態を示す横断面図である。
【図１１】本発明の実施形態に係るリフォームドアの上カバー体、縦カバー体及びキャップ体の取付けを説明するための斜視図であり、既存枠が比較的室内側に設けられていた場合の上角部の分解斜視図である。
【図１２】本発明の実施形態に係るリフォームドアの上カバー体、縦カバー体及びキャップ体の取付けを説明するための斜視図であり、既存枠が比較的室外側に設けられていた場合の上角部の分解斜視図である。
【図１３】本発明の実施形態に係るリフォームドアの上角部の斜視図であり、（ａ）は既存枠が比較的室内側に設けられていた場合の上角部の斜視図であり、（ｂ）は既存枠が比較的室外側に設けられていた場合の上角部の斜視図である。
【図１４】本発明の実施形態に係るリフォームドアの縦カバー体の上端小口に装着されるキャップ体を説明するための図であり、（ａ）は上カバー体の外壁部とのコーキングの状態を示す縦断面図であり、（ｂ）はキャップ体の外壁部とのコーキングの状態を示す縦断面図である。
【図１５】本発明の実施形態に係るリフォームドアの縦カバー体の上端小口にキャップが装着された状態の平面図である。
【発明を実施するための形態】
【０００９】
（改修建具の全体構成）
本発明の改修建具を、既存枠の内周に新設枠を設置して、既存枠と新設枠の接続部の室外側をカバー体で覆うリフォームドアの実施形態を用いて説明する。
本発明の実施形態に係るリフォームドアは、図１に示すように、既存枠に対して固定される新設枠２にヒンジｈによって新設ドア本体１が開閉自在に支持されており、既存枠及び新設枠２の接続部の室外側を覆うようにカバー体５，６が配置されて構成されている。
カバー体５，６は、上枠部分における既存枠と新設枠２との接続部を覆う上カバー体５と、縦枠部分における既存枠と新設枠２との接続部を覆う縦カバー体６，６とを備えている。上カバー体５の両側端部は縦カバー体６，６の内周面に突き当てられてネジ止め固定されており、縦カバー体６，６の上端には、縦カバー体６，６の上端の小口を覆うキャップ体７，７が装着されている。
【００１０】
（既存枠と新設枠の構成）
本実施形態に係るリフォームドアは、既存枠９の内周に新設枠２が設置され接続されており、上枠部分については、図２に示すように、建物躯体Bに固定された既存上枠９１に対してその内周側にスペーサブロック９５を介して新設上枠２１が固定されている。
新設上枠２１は、アルミの押出形材からなり中空矩形状をなす室外側上枠２１１とアルミの押出形材からなる室内側上枠２１２とを合成樹脂等のブリッジ材２１３により連結してなる断熱枠であり、長ネジ等の固定手段ｂにより既存上枠９１及び建物躯体Bに固定されている。
【００１１】
また、左右縦枠部分については、図３に示すように、建物躯体Bに固定された既存縦枠９３，９４に対してその内周側にスペーサブロック９６，９６を介して左右の新設縦枠２３、２４が固定されている。
左右の新設縦枠２３，２４は、アルミの押出形材からなり中空矩形状をなす室外側縦枠２３１，２４１とアルミの押出形材からなる室内側縦枠２３２，２４２とを合成樹脂等のブリッジ材２３３，２４３により連結してなる断熱枠であり、長ネジ等の固定手段ｂにより既存上枠９１及び建物躯体Bに固定されている。
そして、左側の新設縦枠２３に対して新設ドア本体１がヒンジｈによって取り付けられることで、既存枠９に対してリフォームドアが施工されている。
【００１２】
（カバー体の構成）
本実施形態に係るリフォームドアでは、既存枠９の内周に施工された新設枠２の室外側見付け面から既存枠９の室外側見付け面および既存枠９の外周側の外壁部Ｗにかけて、それらの室外側を覆うようにカバー体５，６が配置されている。
まず、図２、４を参考にして、上カバー体５について説明する。
上カバー体５は、新設上枠２１に固定される主カバー部材５１と、主カバー部材５１に位置調節自在に取り付けられる副カバー部材５２とから構成されている。
主カバー部材５１は、少なくとも新設上枠２１と既存上枠９１との接続部の室外側を覆う見付け面部５１１と、見付け面部５１１の外周（上）側に連続して室内側に向かって延設される上壁部５１２と、見付け面部５１１の内周（下）側に連続して室内側に向かって延設される見込み面部５１３と、見込み面部５１３に連続して形成され、施工された新設上枠２１の室外側見付け面に固定される固定部５１４とから構成されており、上壁部５１２の外周（上）面には、主カバー部材５１の長手方向に延びる２条の係合片５１２ａ，５１２ａが形成されている。
そして、固定部５１４を新設上枠２１の室外側見付け面にネジ等の固定手段ｂにより固定することで主カバー部材５１が新設上枠２１の室外側上方位置に配置される。なお、ネジ等の固定手段ｂにより固定された固定部５１４には、キャップ５１５が嵌められてネジ等の固定手段ｂが室外に露出することを防止している。
【００１３】
副カバー部材５２は、長尺の板状部材からなる副カバー本体５２１の一面に長手方向に沿って複数の被係合部５２２，５２２・・が延設されて形成されており、さらに副カバー本体５２１の室内側（躯体側）端部には、外壁部Ｗと対向するように下方に延設される対向壁５２３と、対向壁５２３に連続して外壁部Ｗに当接もしくは近接するように見込み方向に延設される近接壁５２４が形成されている。
そして、主カバー部材５１の上壁部５１２の外周（上）面に形成された２条の係合片５１２ａ，５１２ａに対して、副カバー部材５２の一面に形成された複数の被係合部５２２，５２２が外周側から係合されることで、副カバー部材５２は、主カバー部材５１の上壁部５１２の外周（上）面に固定されている。
なお、外壁部Ｗに近い副カバー部材５２が主カバー部材５１の上方に配置されていることで、水が外壁部Ｗに向かって流れることを防止できる。
【００１４】
次に、図３、５を参考にして、縦カバー体６について説明する。なお、左右の縦カバー体６は同一の構成を備えているので、ここでは左側の縦カバー体６を用いて以下説明する。
縦カバー体６は、新設縦枠２３に固定される主カバー部材６１と、主カバー部材６１に位置調節自在に取り付けられる副カバー部材６２とから構成されている。
主カバー部材６１は、少なくとも新設左縦枠２３と既存左縦枠９３との接続部の室外側を覆う見付け面部６１１と、見付け面部６１１の外周（左）側に連続して室内側に向かって延設される外周壁部６１２と、見付け面部６１１の内周（右）側に連続して室内側に向かって延設される見込み面部６１３と、見込み面部６１３に連続して形成され、施工された新設上枠２１の室外側見付け面に固定される固定部６１４とから構成されており、外周壁部６１２の内周面には、主カバー部材６１の長手方向に延びる複数の被係合部６１２ａ，６１２ａ・・が形成されている。
そして、固定部６１４を新設左縦枠２３の室外側見付け面にネジ等の固定手段ｂにより固定することで主カバー部材６１が新設左縦枠２３の室外側外周側位置に配置されている。なお、ネジ等の固定手段ｂにより固定された固定部６１４には、キャップ６１５が嵌められてネジ等の固定手段ｂが室外に露出することを防止している。
【００１５】
副カバー部材６２は長尺の板状部材からなる副カバー本体６２１の一面側に長手方向に沿って延設された２条の係合片６２２，６２２が延設されて形成されており、さらに副カバー本体６２１の室内側端部から外壁部Ｗと対向するように見付け方向に延設される対向壁６２３と、対向壁６２３に連続して外壁面部Ｗに当接もしくは近接するように見込み方向に延設される近接壁６２４が形成されている。
そして、主カバー部材６１の外周壁部６１２の内周面に形成された複数の被係合部６１２ａ，６１２ａ・・に対して副カバー部材５２の一面に形成された一対の係合片６２２，６２２からなる係合部を内周側から係合されることで、副カバー部材６２は、主カバー部材６１の外周壁部６１２の内周側に固定されている。
【００１６】
（カバー体の位置調節構造）
ここで、本発明の改修建具がリフォームの対象とする既存枠９には、図２，３に示す構成のものに限らず、様々な形状、寸法のものが存在する。具体的に上枠部分を用いて説明すれば、図７（ｂ）に示す既存枠９は、図７（ａ）に示す既存枠９に比べて室外側に設置されておりそれに合わせた断面形状を備えている。このように見込み方向に位置の異なる既存枠９に対して新設枠２を固定すると、それに伴って新設枠２に固定されるカバー体５の上壁部５１２の室内側端部と外壁部Ｗとの間隔が変化することとなる。本発明の本実施形態においては、上記のように、カバー体５，６を、主カバー部材５１，６１と副カバー部材５２，６２の少なくとも二部材で構成するとともに、主カバー部材５１，６１に対して副カバー部材５２，６２を見込み方向に位置調節可能に構成することで、カバー体５，６と外壁部Ｗとの間隔を調節することができる。
以下、主カバー部材５１，６１と副カバー部材５２，６２との位置調節構造について、さらに詳細に説明する。
【００１７】
図６（ａ）に示すように、上カバー体５の主カバー部材５１の上壁部５１２の室内側端部の上面には、主カバー部材５１の長手方向に２条の係合片５１２ａ，５１２ａが突出しており、２条の係合片５１２ａ，５１２ａが副カバー部材５２の下面に形成された複数の被係合部５２２，５２２のいずれか２片に係合することで、副カバー部材５２が主カバー部材５１に係合されている。
主カバー部材５１の上壁部５１２に形成される２条の係合片５１２ａ，５１２ａは、図６（ｂ）に示すように、上壁部５１２の上面よりお互いの間隔が大きくなるように上方に延びる係合部分５１２ｂ，５１２ｂと係合部分５１２ｂ，５１２ｂよりお互いの間隔が小さくなるように上方に延びる先端部分５１２ｃ，５１２ｃとを備え、上壁部５１２の係合部分５１２ｂ，５１２ｂの間は下方に凹んで凹部５１２ｄを形成し、全体として上方に２条の係合片５１２ａ，５１２ａを有する係合部として形成されている。係合部分５１２ｂ，５１２ｂの下方に凹部５１２ｄが形成されていることで、係合片５１２ａ，５１２ａの弾性が大きくなって、良好な係合を可能にしている。
【００１８】
一方、副カバー部材５２の副カバー本体５２１の一方の面（下面）に形成される被係合部５２２は、副カバー本体５２１の下面より下方向けて延設される垂下部５２２ａと、垂下部５２２ａの下端両側より水平方向に延びる係合突部５２２ｂ，５２２ｂとからなる逆Ｔ字状に形成されている。
そして、図６に示す実施形態においては、複数の被係合部５２２，５２２のうち、間に一つの被係合部５２２を挟んだ二つの被係合部５２２，５２２の間に主カバー部材５１の係合片５１２ａ，５１２ａが挿入されることで、係合片５１２ａ，５１２ａの係合部分５１２ｂ，５１２ｂが、被係合部５２２，５２２の係合突部５２２ｂ，５２２ｂに係止され、主カバー部材５１の上面に対して副カバー部材５２が固定されている。
なお、本実施形態に係るリフォームドアの上カバー体５においては、主カバー部材５１の一対の係合片５１２ａ，５１２ａが一つの被係合部５２２を挟んだ二つの被係合部５２２，５２２の間に係合されているが、一対の係合片５１２ａ，５１２ａが挟む被係合部５２２は、特に限定されるものではなく、いくつかの被係合部５２２を跨いで二つの被係合部５２２に係合されればよい。
このように、一対の係合片５１２ａ，５１２ａがいくつかの被係合部５２２を跨いで係合する間隔を有しているので、係合を安定させながら細かい間隔での調整を可能にしている。
【００１９】
そして、副カバー部材５２の下面に形成された複数の被係合部５２２，５２２から適当な被係合部５２２，５２２を選択して主カバー部材５１の係合片５１２ａ，５１２ａを係合することにより、主カバー部材５１に対して副カバー部材５２の見込み方向の位置を調節することができる。
具体的には、図７（ａ）に示すように、既存枠９が建物躯体Bの比較的室内側に配置されている場合には、副カバー部材５２の副カバー本体５２１下面の比較的室内側よりに形成された被係合部５２２，５２２に主カバー部材５１の係合片５１２ａ，５１２ａを係合することにより、また、図７（ｂ）に示すように、既存枠９が建物躯体Bの比較的室外側に配置されている場合には、副カバー部材５２の副カバー本体５２１下面の比較的室外側よりに形成された被係合部５２２，５２２に主カバー部材５１の係合片５１２ａ，５１２ａを係合することにより、副カバー部材５２の副カバー本体５２１の室内側端と外壁部（躯体表面）Ｗの室外側面との間隔を調節することができる。そして、図７（ｃ）に示すように、室内側端と外壁部（躯体表面）Ｗの室外側面との間にはバックアップ材８が配置され、外壁部（躯体表面）Ｗの室外側面には、副カバー部材５２の対向壁５２３及び近接壁５２４とバックアップ材８とによりシールポケットが形成され、コーキング剤Ｓが充填されることにより、良好なコーキング処理を施すことができる。
また、副カバー部材５２の複数の被係合部５２２，５２２の高さ寸法と、主カバー部材５１の係合片５１２ａ，５１２ａの高さ寸法が略同一に形成されているので、両者を係合固定した際には、複数の被係合部５２２，５２２の先端が主カバー部材５１の上面に当接するので、副カバー部材５２を安定して支持することができる。この点は、後述する縦カバー体６についても同様である。
なお、図２、図７（ａ）に示すように、主カバー部材５１の上壁部５１２の室外端部には室外側に向けて突出壁５１２ｅが延設されており、副カバー部材５２が主カバー部材５１の上壁部５１２の最も室外側に配置された場合であっても、副カバー部材５２の被係合部５２２，５２２が形成された下面を突出壁５１２ｅにより被覆することができるので、副カバー部材５２の下面が露出することなく、意匠性を損なうことがない。
【００２０】
同様に、図８（ａ），（ｂ）に示すように、縦カバー体６についても、主カバー部材６１に対して、副カバー部材６２の係合位置を調節することができ、副カバー部材６２と外壁部（躯体表面）Ｗとの間隔を調節し、上カバー体５と同様に、シールポケットを形成することにより、良好なコーキング処理を施すことができる。
そして、本実施形態に係るリフォームドアの縦カバー体６においては、副カバー部材６２が主カバー部材６１の内周側に配置されていることから、主カバー部材６１の外周壁部６１２の内周面に複数の被係合部６１２ａ，６１２ａ・・が形成されており、副カバー部材６２の外周に２条の係合片６２２，６２２が形成されている。
そのため、図８（ｂ）に示すように、主カバー部材６１に対して副カバー部材６２が室内側に位置調節された場合であっても、複数の被係合部６１２ａ，６１２ａが室外面に露出せず、意匠性を損なうことがない。
【００２１】
なお、主カバー部材５１，６１に対する副カバー部材５２，６２の係合は、カバー体５，６を新設枠２に固定する前に行うことで、主カバー部材５１，６１と副カバー部材５２，６２との係合を作業者が確認しながら確実に行うことができる。
そして、カバー体５，６の外周側の見込み面において、主カバー部材５１，６１に対して副カバー部材５２，６２が位置調節自在に係合されているので、たとえ係合が緩んでもカバー体５，６の新設枠に対する固定に影響が少なく、カバー体５，６の外れを防止することができる。また、主カバー部材５１，６１に対する副カバー部材５２，６２の係合方向は、両者の位置調節方向と直交する方向である見付け方向であるので、たとえ位置調節部の係合が緩んでも調節した位置のずれを抑えることができる。
【００２２】
以上のようにして位置調節されたカバー体５，６は、既存枠９に固定された新設枠２に固定され、副カバー部材５２，６２の室内側端と外壁部との間には、バックアップ材８が配置されてシールポケットが形成され、コーキング剤が注入されることで、カバー体５，６と外壁部（躯体表面）Ｗとのコーキング処理がなされる。
バックアップ材８としては、コーキング剤を保持するシールポケットが形成できればどのようなものを使用しても良いが、バックアップ材８によっては、カバー体５，６を新設枠２に固定する際にねじれ等が発生して、コーキング剤を注入した際にバックアップ材８の内部に漏れてしまう可能性がある。
そこで、本実施形態のリフォームドアにおいては、良好なシール機能を有するバックアップ材８が採用されている。以下、縦カバー体６のバックアップ材として採用した例を用いて説明する。
【００２３】
（バックアップ材の構成）
バックアップ材は、ポリエチレン樹脂、ポリプロピレン樹脂、フッ素樹脂、ポリアセタール樹脂等の弾性部材を押し出し成型することにより長尺部材として形成されており、必要に応じて外周表面をコーティング処理して製造されている。
そして、図９に示すように、本実施形態に係るバックアップ材８を取り付ける副カバー部材６２の近接壁６２４は外周方向に開口する係合溝（被取付部）６２５を有しており、バックアップ材８は係合溝（被取付部）６２５に係合するための取付部８１と、取付部８１から一側（室内側）に向けて突出する突出部８２とを備えている。
突出部８２は略平板状に形成され取付部８１から室内側に突出しており、その根元部分、具体的には、副カバー部材６２の係合溝（被取付部）６２５の室内側壁６２５ａより室外側の部位に薄肉部８２ｂが形成されているとともに、突出部の薄肉部８２ｂより室内側の位置で、突出部の内周側面に係合溝（被取付部）６２５の室内側壁６２５ａに当接する回転防止突起８２ｃが形成されている。また、突出部８２の室内端部には、外周側に折り返した補強片８２ａが形成されている。
【００２４】
そして、外周に開口する係合溝（被取付部）６２５に取り付けられたバックアップ材８は、突出部８２が内周側に屈曲しようとする変形が係合溝（被取付部）６２５の室内側壁６２５ａと回転防止突起８２ｃとの当接により阻止され、突出部８２が外周側にのみ変形可能となる。
したがって、予めバックアップ材８が取り付けられたカバー体６を新設枠２に取り付けるに際して、バックアップ材８が外壁部（躯体表面）Ｗに当接することによって屈曲することとなるが、例えば図１０（ａ）に示すように副カバー部材６２の室内側端部と外壁部（躯体表面）Ｗとの間隔が比較的大きい（１５ｍｍ程度）場合には、突出部８２は室内側方向に延びてコーキング剤Ｓを保持することができ、図１０（ｂ）に示すように副カバー部材６２の室外側端部と外壁部（躯体表面）Ｗとの距離が中程度（１０ｍｍ程度）である場合には、突出部８２の先端の補強片８２ａが外壁部（躯体表面）Ｗに当接して外周側に屈曲して良好なシール状態を確保することができ、図１０（ｃ）に示すように、副カバー部材６２の室内側端部と外壁部（躯体表面）Ｗとの距離が比較的小さい（５ｍｍ程度）場合には、突出部８２は薄肉部８２ｂにおいて外周側に屈曲して良好なシール状態を確保することができる。いずれの場合においてもバックアップ材８の突出部８２はねじれることなく外周側にのみ屈曲することとなり、良好なシールポケットを形成することができ、コーキング剤Ｓの内周側への漏れを防いで良好にシールすることができる。
【００２５】
（縦カバー体の小口を覆うキャップ体の構成）
本実施形態のリフォームドアにおいては、上カバー体５は、両側端面を縦カバー体６の上端部内周側面に当接されることでカバー体５，６が連続してリフォームドアを囲むように配置されており、図１１，１２、１３に示すように、縦カバー体６の上端小口には、キャップ体７が取り付けられる。
キャップ体７は、縦カバー体６の上端に固定される主キャップ部材７１と、主キャップ部材７１に対して見込み方向に調整可能に取り付けられる副キャップ部材７２とから幅寸法が調節自在なキャップ体として構成されている。そして、縦カバー体６の主カバー部材６１に対する副カバー部材６２の取付位置に応じて、キャップ体７の見込み方向の幅寸法を調節することにより、カバー体６の上端小口を良好に塞ぐことができる。
以下、キャップ体について、さらに詳細に説明する。
【００２６】
例えば、図１１に示すように、キャップ体７の主キャップ部材７１は、カバー体６の小口を覆う天井部７１１と、天井部７１１の室外側及び内周側から下方に延設される係止辺７１２とから構成されており、天井部７１１の上面には見付け方向に離間した位置にそれぞれ見込み方向に並ぶ２つの位置決め突起７１３，７１３が形成されている。そして、係止辺７１２の内周側部分にはネジ孔が形成されており、係止辺７１２がカバー体６の小口内部に挿入された状態で、縦カバー体６の外周側から挿入されるネジ等の固定手段ｂにより主キャップ部材７１と縦カバー体６と上カバー体５とが一体的に固定されている。
副キャップ部材７２は、主キャップ部材７１の天井部７１１上に載置されてカバー体６の小口を覆う天井部７２１と、天井部７２１の外周側辺より下方に垂下される外周壁７２２と、天井部７２１の内周側辺及び室内側辺より上方に延設される上方縁部７２３とから構成されており、天井部７２１の下面には見付け方向に離間した位置にそれぞれ見込み方向に並ぶ複数の係合孔７２４，７２４・・が形成されている。
そして、図１１に示すように、縦カバー体６の見込み寸法が比較的小さい場合には、主キャップ部材７１の位置決め突起７１３，７１３を副キャップ部材７２の比較的室内側の係合孔７２４，７２４に係合することにより、また、図１２に示すように、縦カバー体６の見込み寸法が比較的大きい場合には、主キャップ部材７１の位置決め突起７１３，７１３を副キャップ部材７２の比較的室外側よりの係合孔７２４、７２４に係合することにより、図１３（ａ）（ｂ）に示すように、縦カバー体６の見込み寸法に応じて、キャップ体７の見込み寸法を適宜調節することができる。
なお、キャップ体７が取り付けられるカバー体としては、縦カバー体に限るものではなく、縦カバー体６を上カバー体５の内周面に当接させるなどして上カバー体６等横カバー体の小口を覆うように形成してもよい。
また、キャップ体７が取り付けられるカバー体としては、見込み寸法が調節可能なカバー体に限るものではなく、従来広く流通している、折り取りにより見込み寸法を調整しているリフォームカバー装置にも使用でき、各種の寸法調整部材のキャップ体として、汎用的に利用することができる。
【００２７】
さらに、本実施形態のリフォームドアにおいては、縦カバー体６の上端位置においてもコーキング処理を行うための構成を備えている。図１４（ａ）は上カバー体５の断面図であり、図１４（ｂ）は、上カバー体５の側端面に続くキャップ体７の側面図であるが、キャップ体７の副キャップ部材７２の室内側には、図１４（ｂ）に示すように、室内側に突出したヒレ片７２５が一体成型されている。そして、ヒレ片７２５は、図１４（ａ）に示す上カバー体５に取り付けられるバックアップ材８の突出部８２と略同じ断面形状を有している。なお、ヒレ片７２５は根元部に薄肉部７２５ｂが形成されることで、所定の位置で容易に変形させることができるとともに、必要に応じて、薄肉部７２５ｂで切除することも可能である。
そして、副キャップ部材７２のヒレ片７２５と上カバー体５に取り付けられるバックアップ材８とを連続させることにより、リフォームドアの上端全長にわたる切れ目の無い連続的なコーキング目地が形成できる。
【００２８】
また、図１５に示すように、副キャップ部材７２のヒレ辺７２５の外周側端部は縦カバー体６のバックアップ材８が配置されている位置で切欠かれて切欠き７２５ａが形成されており、ヒレ辺７２５により形成されるシールポケットと縦カバー体６のバックアップ材８により形成されるシールポケットとを連続させることができる。これにより、上カバー体５に形成されるシールポケットと縦カバー体６，６に形成されるシールポケットがコーナー部で連続され、切れ目の無い連続的なコーキング目地が形成でき、外観が向上し、止水性能を向上させることもできる。
【００２９】
以上のように、本実施形態のリフォームドアにおいては、カバー体５，６を構成する主カバー部材の最も外周側に配置される見込み面の内周側に複数の被係合部が形成され、副カバー部材の見込み面の外周側に形成された係合片が内周側から見付け方向に係合されるので、係合方向がカバー体の位置調節方向と直交して多少係合が緩んだとしても副カバー体と外壁部との間隔寸法に対する影響が少なく、シール材によるシールが破壊されることを防止できる。また、複数の被係合部が室外側に露出することがなく、意匠性を損なうことがない。
また、係合部同士の弾性係合によって副カバー部材が主カバー部材に係合されるので、副カバー部材を折り取って長さ調節する必要が無く、折り取った部分からラッピングシート等の端部が剥がれてくることも防止できる。さらに、位置調節が容易で、煩雑な加工を必要とすることなく、折り取った部分等の廃棄物を出すことのない施工を行うことができる。
【００３０】
なお、副カバー部材については、見込み寸法が異なるものを複数用意しておき、既存枠９が大きく室内側に配置されている場合には見込み寸法の大きな副カバー部材を用いることにより、カバー体と外壁との間にさらに大きな間隔が生じた場合にも対応することができる。
また、主カバー部材と副カバー部材との係合は、弾性変形を利用した嵌合について説明しているが、その嵌合方法に限られるものではなく、他の方法による係合でも可能である。
【符号の説明】
【００３１】
１        ：新設ドア本体
２        ：新設枠
２１      ：新設上枠
２３      ：新設左縦枠
２４      ：新設縦枠
５        ：上カバー体
５１      ：主カバー部材
５１１    ：見付け面部
５１２    ：上壁部
５１２ａ  ：係合片
５１２ｂ  ：係合部分
５１２ｃ  ：先端部分
５１２ｄ  ：凹部
５１２ｅ  ：突出壁
５１３    ：見込み面部
５１４    ：固定部
５１５    ：キャップ
５２      ：副カバー部材
５２１    ：副カバー本体
５２２    ：被係合部
５２２ａ  ：垂下部
５２２ｂ  ：係合突部
５２３    ：対向壁
５２４    ：近接壁
５２５    ：係合溝
５２５ａ  ：室内側壁
６        ：縦カバー体
６１      ：主カバー部材
６１１    ：見付け面部
６１２    ：外周壁部
６１２ａ  ：被係合部
６１３    ：見込み面部
６１４    ：固定部
６１５    ：キャップ
６２      ：副カバー部材
６２１    ：副カバー本体
６２２    ：係合片
６２３    ：対向壁
６２４    ：近接壁
７        ：キャップ体
７１      ：主キャップ体
７１１    ：天井部
７１２    ：係止辺
７１３    ：位置決め突起
７２      ：副キャップ体
７２１    ：天井部
７２２    ：外周壁
７２３    ：上方縁部
７２４    ：係合孔
７２５    ：ヒレ片
７２５ｂ  ：薄肉部
８        ：バックアップ材
８１      ：取付部
８２      ：突出部
８２ａ    ：補強片
８２ｂ    ：薄肉部
８２ｃ    ：回転防止突起
９        ：既存枠
【図１】
0006533164.tif 000002
【図２】
0006533164.tif 000003
【図３】
0006533164.tif 000004
【図４】
0006533164.tif 000005
【図５】
0006533164.tif 000006
【図６】
0006533164.tif 000007
【図７】
0006533164.tif 000008
【図８】
0006533164.tif 000009
【図９】
0006533164.tif 000010
【図１０】
0006533164.tif 000011
【図１１】
0006533164.tif 000012
【図１２】
0006533164.tif 000013
【図１３】
0006533164.tif 000014
【図１４】
0006533164.tif 000015
【図１５】
0006533164.tif 000016